(57)【要約】【課題】フリーアクセスフロア用支持脚において、脚と調整台を固定するために流し込む接着剤が流れ込みやすくすること。【解決手段】  ベースプレートとベースプレートから直立し、雄ネジが外周に形成される支柱を有する脚の先端を先端に行くほど外径が小さくなるように形成した。【選択図】図１
2015193989.tif 000002
【特許請求の範囲】
【請求項１】
ベースプレートと、前記ベースプレートから直立し、雄ネジが外周に形成され、先端に行くほど外径が小さくなるように形成される支柱を有する脚と、
前記支柱の前記雄ネジと螺合する雌ネジが形成される胴部と、パネル受け部を有する調整台とを備えたフリーアクセスフロア用支持脚。
【請求項２】
前記支柱の前記先端がテーパ状に形成される請求項１に記載のフリーアクセスフロア用支持脚。
【請求項３】
前記支柱の前記先端が球面で形成される請求項１に記載のフリーアクセスフロア用支持脚。
【請求項４】
ベースプレートと、前記ベースプレートから直立し、雄ネジが外周に形成され、先端部に接着剤流入用の溝が形成される支柱を有する脚と、
前記支柱の前記雄ネジと螺合する雌ネジが形成される胴部と、パネル受け部を有する調整台とを備えたフリーアクセスフロア用支持脚。
【発明の詳細な説明】
【技術分野】
【０００１】
本発明は、フリーアクセスフロアを構成する支持脚に関するものである。
【背景技術】
【０００２】
フリーアクセスフロアは、コンクリートスラブ上に一定間隔で支持脚を設置し、床パネルの四隅がそれぞれ支持脚に固定されることにより構成される二重床である。
【０００３】
フリーアクセスフロアに用いられる支持脚１６２は、図５のように、ベースプレート１６６から直立する支柱１６８に雄ネジ１７０が切られた脚１６４と、内部に雌ネジ１８４が切られた胴部１８２と胴部１８２から水平に外側方向にせり出す床パネルを載置する部分であるパネル受け部１８６を有する調整台１８０を螺合することによって組み立てられるタイプのものがある。
【０００４】
このような支持脚は、脚の支柱の雄ネジと調整台の胴部の雌ネジを螺合し、高さ調整をした後、接着剤を脚の支柱の雄ネジと調整台の胴部の雌ネジの間に流し込み固定することがある。
【先行技術文献】
【特許文献】
【０００５】
【特許文献１】特開2006-104891号公報
【発明の概要】
【発明が解決しようとする課題】
【０００６】
上述のように、脚の支柱の雄ネジと調整台の胴部の雌ネジを螺合し、高さ調整をした後、脚の支柱の雄ネジと調整台の胴部の雌ネジの間に接着剤を流し込み、脚と調整台を固定することがあるが、本発明は、脚と調整台を固定するために接着剤を注入する際、接着剤が流れ込みやすくすることを課題とするものである。
【課題を解決するための手段】
【０００７】
本発明は、上記課題を解決するためになされたものであり、
ベースプレートと、前記ベースプレートから直立し、雄ネジが外周に形成され、先端に行くほど外径が小さくなるように形成される支柱を有する脚と、
前記支柱の前記雄ネジと螺合する雌ネジが形成される胴部と、パネル受け部を有する調整台とを備えたことを特徴とするものである。
【０００８】
また、本発明は、
前記支柱の前記先端がテーパ状に形成されたことを特徴とするものである。
【０００９】
また、本発明は、
前記支柱の前記先端が球面で形成されたことを特徴とするものである。
【００１０】
また、本発明は、
ベースプレートと、前記ベースプレートから直立し、雄ネジが外周に形成され、先端部に接着剤流入用の溝が形成される支柱を有する脚と、
前記支柱の前記雄ネジと螺合する雌ネジが形成される胴部と、パネル受け部を有する調整台とを備えたことを特徴とするものである。
【発明の効果】
【００１１】
このような本発明によれば、
ベースプレートと、前記ベースプレートから直立し、雄ネジが外周に形成され、先端に行くほど外径が小さくなるように形成される支柱を有する脚と、
前記支柱の前記雄ネジと螺合する雌ネジが形成される胴部と、パネル受け部を有する調整台とを備えたことにより、
脚と調整台を固定するために接着剤を注入する際、接着剤が流れ込みやすくすることができる。
【００１２】
また、本発明は、
ベースプレートと、前記ベースプレートから直立し、雄ネジが外周に形成され、先端部に接着剤流入用の溝が形成される支柱を有する脚と、
前記支柱の前記雄ネジと螺合する雌ネジが形成される胴部と、パネル受け部を有する調整台とを備えたことにより、
脚と調整台を固定するために接着剤を注入する際、接着剤が流れ込みやすくすることができる。
【図面の簡単な説明】
【００１３】
【図１】本発明の第一の実施の形態に係るフリーアクセスフロア用支持脚２の全体図である。
【図２】本発明の第一の実施の形態に係る脚４の全体図である。
【図３】本発明の第二の実施の形態に係る脚３４の全体図である。
【図４】本発明の第三の実施の形態に係る脚６４の全体図である。
【図５】従来のフリーアクセスフロア用支持脚１６２の全体図である。
【発明を実施するための最良の形態】
【００１４】
以下、本発明の実施の形態について、図面に基づいて具体的に説明する。
【００１５】
図１は、本発明の第一の実施の形態に係る支持脚２の全体図であり、図２は脚４の全体図である。    
【００１６】
本発明の第一の実施の形態に係る支持脚２は、脚、調整台、固定用ボルト等から構成される。
【００１７】
脚４は、図１，図２に示すように、コンクリートスラブ上に設置されるベースプレート６と、ベースプレート６から直立する支柱８とを有する。支柱８にはその外周に雄ネジ１０が切られ、支柱８の先端は、先端に行くほど外径が小さくなるようにテーパ面１２を有するテーパ状に形成されている。支柱８の雄ネジ１０と、後述する調整台２０の胴部２２に切られる雌ネジ２４とを螺合させることにより、脚４と調整台２０は結合される。
【００１８】
調整台２０は、図１に示すように、内部に雌ネジ２４が切られる胴部２２と、パネルを載置する部分であるパネル受け部２６を有する。
【００１９】
このように脚の支柱の先端を、先端に行くほど外径が小さくなるように形成することにより、支柱の先端部と調整台の胴部に切られる雌ネジとの間に隙間が生じるので、支柱の雄ネジと調整台の胴部の雌ネジを螺合し高さ調整をした後に脚と調整台を固定するために接着剤を注入する際、接着剤を流れ込みやすくすることができる。
【００２０】
図３は、本発明の第二の実施の形態に係る脚３４の全体図である。支持脚の全体図は図示していないが、第二の実施の形態の支持脚も、第一の実施の形態の支持脚を示す図１と同じように、脚と調整台が結合され、支持脚は構成される。
【００２１】
第二の実施の形態に係る脚３４においては、支柱３８の先端が球面４２で形成される。
【００２２】
このように脚の支柱の先端を形成することによっても、支柱の雄ネジと調整台の胴部の雌ネジを螺合し高さ調整をした後に脚と調整台を固定するために接着剤を注入する際、接着剤を流れ込みやすくすることができる。
【００２３】
図４は、本発明の第三の実施の形態に係る脚６４の全体図である。支持脚の全体図は図示していないが、第三の実施の形態においても第一の実施の形態の支持脚を示す図１と同じように、脚と調整台が結合され、支持脚は構成される。
【００２４】
本発明の第三の実施の形態に係る脚６４においては、脚６４の先端部に溝７２が形成される。
【００２５】
このように脚の支柱の先端部に溝を設けることによっても、溝をつたって接着剤が流れやすくなるため、支柱の雄ネジと調整台の胴部の雌ネジを螺合し高さ調整をした後に脚と調整台を固定するために接着剤を注入する際、接着剤を流れ込みやすくすることができる。
【００２６】
本発明の実施の形態においては、脚の支柱の先端がテーパ状に形成されるものと、球面で形成されるものについて説明したが、支柱の先端に行くほど外径が小さくなるように形成されるものであればこれらに限られないのは言うまでもない。また、先端部に設けられる溝も本発明の実施の形態に限られるものではなく、溝の形状、本数を問わないことは言うまでもない。
【符号の説明】
【００２７】
２  支持脚
４  脚
６  ベースプレート
８  支柱
１０  雄ネジ
１２  テーパ面
２０  調整台
２２  胴部
２４  雌ネジ
２６  パネル受け部
３４  脚
３６  ベースプレート
３８  支柱
４０  雄ネジ
４２  球面
６４  脚
６６  ベースプレート
６８  支柱
７０  雄ネジ
７２  溝
１６２  支持脚
１６４  脚
１６６  ベースプレート
１６８  支柱
１７０  雄ネジ
１８０  調整台
１８２  胴部
１８４  雌ネジ
１８６  パネル受け部
【図１】
2015193989.tif 000003
【図２】
2015193989.tif 000004
【図３】
2015193989.tif 000005
【図４】
2015193989.tif 000006
【図５】
2015193989.tif 000007